(57)【特許請求の範囲】
【請求項１】
少なくとも３個の光源群と、交流電圧を全波整流する全波整流回路と、少なくとも３個の定電流回路と、前記少なくとも３個の光源群、前記全波整流回路および前記少なくとも３個の定電流回路が配置される基板とを備え、
前記少なくとも３個の光源群の各々は、複数個の固体発光素子を備え、
前記少なくとも３個の光源群の各々は、電気的に直列接続されるように構成され、
前記少なくとも３個の定電流回路の各々は、対応する前記少なくとも３個の光源群に流れる電流を定電流化するように構成され、
前記全波整流回路の一対の出力端間には、前記少なくとも３個の光源群のうちの１個の光源群である第１光源群と、前記少なくとも３個の定電流回路のうちの１個の定電流回路である第１定電流回路との直列回路が電気的に接続され、
前記第１定電流回路には、前記少なくとも３個の光源群のうちの前記第１光源群とは異なる１個の光源群である第２光源群と、前記少なくとも３個の定電流回路のうちの前記第１定電流回路とは異なる１個の定電流回路である第２定電流回路との直列回路が電気的に接続され、
前記第２定電流回路には、前記少なくとも３個の光源群のうちの前記第１光源群と前記第２光源群とは異なる１個の光源群である第３光源群と、前記少なくとも３個の定電流回路のうちの前記第１定電流回路と前記第２定電流回路とは異なる１個の定電流回路である第３定電流回路との直列回路が電気的に接続され、
前記基板には、前記複数個の固体発光素子の各々を互いに電気的に接続する接続部が設けられ、
前記接続部は、
導電性を有しない非導電部と、
導電性を有する導電部とを備え、
前記非導電部の形状は、規則性を有する形状である
ことを特徴とする光源ユニット。
【請求項２】
前記導電部は、前記非導電部を囲むように、あるいは、前記非導電部と隣接するように構成されている
ことを特徴とする請求項１記載の光源ユニット。
【請求項３】
前記導電部は、メッシュ状に構成されている
ことを特徴とする請求項２記載の光源ユニット。
【請求項４】
前記導電部は、前記非導電部とで市松模様を形成するように構成されている
ことを特徴とする請求項２記載の光源ユニット。
【請求項５】
前記導電部は、直線状に構成されている
ことを特徴とする請求項２記載の光源ユニット。
【請求項６】
前記導電部は、
前記接続部の周部に沿って設けられている第１部分と、
前記接続部において前記第１部分よりも中央部側に設けられており、前記非導電部を囲むように、あるいは、前記非導電部と隣接するように構成されている第２部分とを有する
ことを特徴とする請求項２ないし請求項５のいずれか１項に記載の光源ユニット。
【請求項７】
請求項１ないし請求項６のいずれか１項に記載の光源ユニットと、
前記光源ユニットが取り付けられる取付部材とを備えている
ことを特徴とする照明器具。
【発明の詳細な説明】
【技術分野】
【０００１】
本発明は、一般に、光源ユニットおよびそれを用いた照明器具に関し、より詳細には、固体発光素子を有する光源ユニットおよびそれを用いた照明器具に関する。
【背景技術】
【０００２】
従来、商用電源を整流して得られる脈流電圧によりＬＥＤ群を直接駆動するＬＥＤ装置が知られている（例えば、特許文献１）。
【先行技術文献】
【特許文献】
【０００３】
【特許文献１】米国特許第７０８１７２２号明細書
【発明の概要】
【発明が解決しようとする課題】
【０００４】
ところで、特許文献１に記載されたＬＥＤ装置等の光源ユニットは、サージ電圧による故障を抑制することが望まれている。
【０００５】
本発明の目的は、サージ電圧による故障を抑制することが可能な光源ユニットおよびそれを用いた照明器具を提供することにある。
【課題を解決するための手段】
【０００６】
本発明の光源ユニットは、少なくとも３個の光源群と、交流電圧を全波整流する全波整流回路と、少なくとも３個の定電流回路とを備えている。また、前記光源ユニットは、前記少なくとも３個の光源群、前記全波整流回路および前記少なくとも３個の定電流回路が配置される基板を備えている。前記少なくとも３個の光源群の各々は、複数個の固体発光素子を備えている。前記少なくとも３個の光源群の各々は、電気的に直列接続されるように構成されている。前記少なくとも３個の定電流回路の各々は、対応する前記少なくとも３個の光源群に流れる電流を定電流化するように構成されている。前記全波整流回路の一対の出力端間には、前記少なくとも３個の光源群のうちの１個の光源群である第１光源群と、前記少なくとも３個の定電流回路のうちの１個の定電流回路である第１定電流回路との直列回路が電気的に接続されている。前記第１定電流回路には、前記少なくとも３個の光源群のうちの前記第１光源群とは異なる１個の光源群である第２光源群と、前記少なくとも３個の定電流回路のうちの前記第１定電流回路とは異なる１個の定電流回路である第２定電流回路との直列回路が電気的に接続されている。前記第２定電流回路には、前記少なくとも３個の光源群のうちの前記第１光源群と前記第２光源群とは異なる１個の光源群である第３光源群と、前記少なくとも３個の定電流回路のうちの前記第１定電流回路と前記第２定電流回路とは異なる１個の定電流回路である第３定電流回路との直列回路が電気的に接続されている。前記基板には、前記複数個の固体発光素子の各々を互いに電気的に接続する接続部が設けられている。前記接続部は、導電性を有しない非導電部と、導電性を有する導電部とを備えている。前記非導電部の形状は、規則性を有する形状である。
【０００７】
本発明の照明器具は、前記光源ユニットと、前記光源ユニットが取り付けられる取付部材とを備えている。
【発明の効果】
【０００８】
本発明の光源ユニットにおいては、サージ電圧による故障を抑制することが可能となる。
【０００９】
本発明の照明器具においては、サージ電圧による故障を抑制することが可能な光源ユニットを備えた照明器具を提供することができる。
【図面の簡単な説明】
【００１０】
【図１】図１は、一実施形態の光源ユニットの回路図である。
【図２】図２は、一実施形態の光源ユニットが取付部材に取り付けられた状態を示す概略斜視図である。
【図３】図３は、一実施形態の光源ユニットにおける基板において、一部破断された平面図である。
【図４】図４Ａ〜図４Ｆは、一実施形態の光源ユニットにおける基板に関し、接続部に設けられた導電部の他の形状を説明する説明図である。
【図５】図５は、一実施形態の光源ユニットを備えた照明器具の施工状態を示す斜視図である。
【発明を実施するための形態】
【００１１】
以下では、一実施形態の光源ユニット１００について、図１〜図４を参照しながら説明する。なお、以下では、説明の便宜上、光源ユニット１００を備えた照明器具２００について、図５を参照しながら説明した後に、光源ユニット１００について詳細に説明する。
【００１２】
照明器具２００は、例えば、街路灯である。照明器具２００は、例えば、地面等に設置された支柱３００に取り付けられるように構成されている。支柱３００としては、例えば、電柱、鋼管ポール等が挙げられる。
【００１３】
照明器具２００は、光源ユニット１００と、取付部材１０１と、ケース１０２とを備えている。なお、図５では、光源ユニット１００がケース１０２に覆われているため、光源ユニット１００が見えていない。
【００１４】
取付部材１０１は、光源ユニット１００が取り付けられるように構成されている。また、取付部材１０１は、固定具４００により支柱３００に取り付けられるように構成されている。取付部材１０１は、例えば、鋼板等の金属板により形成されている。
【００１５】
取付部材１０１は、固定具４００により支柱３００に取り付けられたとき、光源ユニット１００が上記地面に対して所定の角度（例えば、６０度）だけ傾くように構成されている。
【００１６】
ケース１０２は、光源ユニット１００を覆うように構成されている。ケース１０２は、ボディ１０３と、カバー１０４とを備えている。
【００１７】
ボディ１０３は、取付部材１０１が取り付けられるように構成されている。ボディ１０３は、一面が開口した箱状（例えば、矩形箱状）に構成されている。ボディ１０３は、例えば、合成樹脂により形成されている。
【００１８】
ボディ１０３には、一対の電源線２５Ａ，２５Ｂを通す孔（第１孔）が形成されている。一対の電源線２５Ａ，２５Ｂは、光源ユニット１００と電気的に接続されている。また、一対の電源線２５Ａ，２５Ｂは、外部電源４０（図１参照）と電気的に接続される。外部電源４０は、例えば、正弦波状の交流電圧を出力する交流電源（例えば、商用電源）である。
【００１９】
ボディ１０３には、取付部材１０１の一部を通す孔（第２孔）が形成されている。
【００２０】
カバー１０４は、ボディ１０３に取り付けられるように構成されている。また、カバー１０４は、光源ユニット１００を覆うように構成されている。カバー１０４は、透光性を有する材料により形成されている。
【００２１】
光源ユニット１００は、図１に示すように、３個の光源群１１〜１３と、全波整流回路２と、３個の定電流回路２１〜２３とを備えている。また、光源ユニット１００は、コネクタ４と、ヒューズ５と、バリスタ６と、基板７（図２参照）とを備えている。コネクタ４は、一対の電源線２５Ａ，２５Ｂを電気的に接続するように構成されている。コネクタ４は、一対の端子４Ａ，４Ｂを備えている。
【００２２】
光源群１１は、例えば、複数個（図２では、９個）の固体発光素子８を備えている。複数個の固体発光素子８の各々は、例えば、ＬＥＤである。複数個の固体発光素子８の電気的な接続関係は、例えば、直列接続である。
【００２３】
なお、複数個の固体発光素子８の電気的な接続関係は、直列接続に限らず、例えば、並列接続であってもよいし、直列接続と並列接続とを組み合わせた接続であってもよい。また、複数個の固体発光素子８の各々は、ＬＥＤに限らず、例えば、有機エレクトロルミネッセンス素子、半導体レーザ素子等であってもよい。
【００２４】
２個の光源群１２，１３の各々は、固体発光素子８の個数が異なる点を除いて、光源群１１と同じ構成である。ゆえに、２個の光源群１２，１３の各々に関する詳細な説明は省略する。
【００２５】
全波整流回路２は、交流電圧を全波整流するように構成されている。全波整流回路２は、例えば、ダイオードブリッジである。
【００２６】
全波整流回路２の一対の入力端間には、バリスタ６が電気的に接続されている。全波整流回路２の一対の入力端における高電位側の入力端は、ヒューズ５を介して、コネクタ４の端子４Ａと電気的に接続されている。全波整流回路２の一対の入力端における低電位側の入力端は、コネクタ４の端子４Ｂと電気的に接続されている。
【００２７】
全波整流回路２の一対の出力端間には、光源群１１と定電流回路２１との直列回路が電気的に接続されている。
【００２８】
定電流回路２１は、光源群１１に流れる電流を定電流化するように構成されている。定電流回路２１は、例えば、２個のスイッチング素子Ｑ１，Ｑ２と、３個の抵抗Ｒ１〜Ｒ３とを備えている。
【００２９】
スイッチング素子Ｑ１は、第１端子と、第２端子と、制御端子とを備えている。スイッチング素子Ｑ１は、例えば、エンハンスメント型のｎチャネルＭＯＳＦＥＴである。この場合、スイッチング素子Ｑ１では、第１端子がドレイン端子であり、第２端子がソース端子であり、制御端子がゲート端子である。
【００３０】
スイッチング素子Ｑ２は、第１端子と、第２端子と、制御端子とを備えている。スイッチング素子Ｑ２は、例えば、ｎｐｎ型のバイポーラトランジスタである。この場合、スイッチング素子Ｑ２では、第１端子がコレクタ端子であり、第２端子がエミッタ端子であり、制御端子がベース端子である。
【００３１】
抵抗Ｒ１の第１端は、光源群１１のカソード側の接続端と電気的に接続されている。抵抗Ｒ１の第２端は、スイッチング素子Ｑ１のゲート端子と電気的に接続されている。また、抵抗Ｒ１の第２端は、スイッチング素子Ｑ２のコレクタ端子と電気的に接続されている。さらに、抵抗Ｒ１の第２端は、抵抗Ｒ２の第１端と電気的に接続されている。
【００３２】
スイッチング素子Ｑ１のドレイン端子は、抵抗Ｒ１の第１端と電気的に接続されている。スイッチング素子Ｑ１のソース端子は、抵抗Ｒ２の第２端と電気的に接続されている。抵抗Ｒ２の第２端は、スイッチング素子Ｑ２のベース端子と電気的に接続されている。スイッチング素子Ｑ２のベース端子は、抵抗Ｒ３を介して、スイッチング素子Ｑ２のエミッタ端子と電気的に接続されている。
【００３３】
なお、スイッチング素子Ｑ１は、エンハンスメント型のｎチャネルＭＯＳＦＥＴに限らず、例えば、ｎｐｎ型のバイポーラトランジスタ等であってもよい。また、スイッチング素子Ｑ２は、ｎｐｎ型のバイポーラトランジスタに限らない。
【００３４】
定電流回路２１には、光源群１２と定電流回路２２との直列回路が電気的に接続されている。
【００３５】
定電流回路２２は、図１に示すように、定電流回路２１と符号が異なる点を除いて、定電流回路２１と同じ構成である。ゆえに、定電流回路２２に関する詳細な説明は省略する。
【００３６】
定電流回路２２には、光源群１３と定電流回路２３との直列回路が電気的に接続されている。
【００３７】
定電流回路２３は、図１に示すように、定電流回路２１と符号が異なる点を除いて、定電流回路２１と同じ構成である。ゆえに、定電流回路２３に関する詳細な説明は省略する。
【００３８】
基板７は、例えば、３個の光源群１１〜１３、全波整流回路２、３個の定電流回路２１〜２３、コネクタ４、ヒューズ５およびバリスタ６が配置されるように構成されている。
【００３９】
基板７は、例えば、金属に比べて熱抵抗が大きい樹脂（例えば、紙フェノール樹脂、ガラスエポキシ樹脂、ガラスコンポジット樹脂等）により構成されている。
【００４０】
基板７の表面（図２では、上面）には、複数個（図２では、１６個）の接続部Ｐ０〜Ｐ１５が設けられている。１６個の接続部Ｐ０〜Ｐ１５の各々は、例えば、銅箔により構成されている。なお、１６個の接続部Ｐ０〜Ｐ１５それぞれの表面積は、例えば、同じ大きさに設定されていてもよいし、異なる大きさに設定されていてもよい。
【００４１】
また、基板７の表面には、複数個（図２では、１５個）の固体発光素子８、全波整流回路２、３個のスイッチング素子Ｑ１，Ｑ３，Ｑ５、コネクタ４、ヒューズ５およびバリスタ６等が配置されている。
【００４２】
接続部Ｐ０は、全波整流回路２の一対の出力端における高電位側の出力端と、光源群１１における９個の固体発光素子８のうちの１個の固体発光素子８（以下、「第１固体発光素子Ａ１」とも称する）のアノードとを電気的に接続するように構成されている。
【００４３】
接続部Ｐ１は、第１固体発光素子Ａ１のカソードと、第１固体発光素子Ａ１の隣に配置された固体発光素子８（以下、「第２固体発光素子Ａ２」とも称する）のアノードとを電気的に接続するように構成されている。
【００４４】
１３個の接続部Ｐ２〜Ｐ１４の各々は、接続部Ｐ１と符号が異なる点を除いて、接続部Ｐ１と同じ構成である。ゆえに、１３個の接続部Ｐ２〜Ｐ１４の各々に関する詳細な説明は省略する。
【００４５】
接続部Ｐ１５は、第１５固体発光素子Ａ１５のカソードと定電流回路２３の入力端（スイッチング素子Ｑ５の第１端子と抵抗Ｒ７の第１端との接続点）とを電気的に接続するように構成されている。
【００４６】
１６個の接続部Ｐ０〜Ｐ１５それぞれの表面積は、比較的大きく設定されていることが好ましい。これにより、光源ユニット１００では、例えば、光源ユニット１００が取付部材１０１に取り付けられたときに、複数の固体発光素子８で発生する熱を取付部材１０１へ効率良く伝導させることが可能となる。よって、光源ユニット１００では、１６個の接続部Ｐ０〜Ｐ１５それぞれの表面積が比較的小さく設定された場合に比べて、光源ユニット１００の放熱性を高めることが可能となる。
【００４７】
ところで、光源ユニット１００では、１６個の接続部Ｐ０〜Ｐ１５それぞれの表面積を比較的大きく設定した場合、光源ユニット１００が取付部材１０１に取り付けられたときに、１６個の接続部Ｐ０〜Ｐ１５と取付部材１０１との間の浮遊容量が比較的大きくなる。
【００４８】
本願発明者らは、この光源ユニット１００において、例えば、取付部材１０１のグランドと外部電源４０との間にサージ電圧が印加されたとき、１５個の固体発光素子８に過電流（サージ電流）が流れる可能性があると考えた。
【００４９】
光源ユニット１００では、１４個の接続部Ｐ１〜Ｐ１４の各々に、導電性を有しない非導電部９（図３参照）が設けられている。非導電部９は、例えば、電気的な絶縁性を有する絶縁材料により構成されている。光源ユニット１００では、１４個の接続部Ｐ１〜Ｐ１４の各々に、複数個の非導電部９が設けられている。これにより、光源ユニット１００では、１４個の接続部Ｐ１〜Ｐ１４と取付部材１０１との間の浮遊容量を、１４個の接続部Ｐ１〜Ｐ１４の各々に非導電部９が設けられていない場合に比べて、低減することが可能となる。よって、光源ユニット１００では、例えば、取付部材１０１のグランドと外部電源４０との間にサージ電圧が印加されたとき、１５個の固体発光素子８に過電流が流れるのを抑制することが可能となる。その結果、光源ユニット１００では、例えば、１５個の固体発光素子８が絶縁破壊（サージ破壊）するのを抑制することが可能となる。すなわち、光源ユニット１００では、サージ電圧による故障を抑制することが可能となる。なお、非導電部９は、例えば、空間（隙間）により構成されていてもよいし、絶縁部材により構成されていてもよい。
【００５０】
１４個の接続部Ｐ１〜Ｐ１４の各々は、導電性を有する導電部１０を備えている。
【００５１】
導電部１０は、例えば、銅箔により構成されている。また、導電部１０は、非導電部９を囲むように構成されている。具体的に説明すると、導電部１０は、複数個の非導電部９の各々を囲むように構成されている。これにより、光源ユニット１００では、１４個の接続部Ｐ１〜Ｐ１４の各々が導電部１０を備えていない場合に比べて、１４個の接続部Ｐ１〜Ｐ１４それぞれの表面積を大きくすることが可能となる。よって、光源ユニット１００では、１４個の接続部Ｐ１〜Ｐ１４の各々が導電部１０を備えていない場合に比べて、光源ユニット１００の放熱性を高めることが可能となる。
【００５２】
導電部１０は、例えば、メッシュ状に構成されていることが好ましい（図３，図４Ａ，図４Ｂ参照）。光源ユニット１００では、メッシュ状に構成された導電部１０の開口部（網目）が、非導電部９に相当する。これにより、光源ユニット１００では、光源ユニット１００の放熱性が低下するのを抑制し、かつ、１５個の固体発光素子８が絶縁破壊（サージ破壊）するのを抑制することが可能となる。なお、導電部１０は、メッシュ状に限らない。導電部１０は、例えば、この導電部１０と非導電部９とで市松模様（チェッカー状のパターン）を形成するように構成されていてもよい（図４Ｃ，図４Ｄ参照）。この場合、光源ユニット１００では、導電部１０をメッシュ状に構成した場合に比べて、導電部１０の熱抵抗を小さくすることが可能となる。その結果、光源ユニット１００では、導電部１０をメッシュ状に構成した場合に比べて、放熱性を高めることが可能となる。
【００５３】
導電部１０は、非導電部９を囲むように構成されているが、この構成に限らず、非導電部９と隣接するように構成されていてもよい。具体的に説明すると、導電部１０は、例えば、直線状に構成されていてもよい（図４Ｅ参照）。これにより、光源ユニット１００では、導電部１０が非導電部９を囲むように構成された場合と同様に、１４個の接続部Ｐ１〜Ｐ１４の各々が導電部１０を備えていない場合に比べて、光源ユニット１００の放熱性を高めることが可能となる。また、光源ユニット１００では、例えば、導電部１０がメッシュ状に構成された場合に比べて、導電部１０を成形するのが容易となる。なお、導電部１０は、直線状に限らず、例えば、波状に構成されていてもよい（図４Ｆ参照）。この場合、光源ユニット１００では、導電部１０を直線状に構成した場合に比べて、導電部１０で寄生容量が発生しやすくなり、例えば、サージ電圧によるスパイク電流を抑制することが可能となる。
【００５４】
光源ユニット１００は、全波整流回路２により全波整流された電圧（脈流電圧）によって、３個の光源群１１〜１３を点灯させるように構成されている。光源ユニット１００は、全波整流回路２により全波整流された電圧の瞬時値に基づいて、３個のスイッチング素子Ｑ１，Ｑ３，Ｑ５を順番にオフ状態からオン状態にすることで、３個の光源群１１〜１３を段階的に点灯させる。なお、３個の光源群１１〜１３を段階的に点灯させるとは、光源群１１を点灯させた後に、光源群１１の点灯状態を維持しながら光源群１２を点灯させ、最後に２個の光源群１１，１２の点灯状態を維持しながら光源群１３を点灯させることを意味する。
【００５５】
また、光源ユニット１００は、全波整流回路２により全波整流された電圧の瞬時値に基づいて、３個のスイッチング素子Ｑ１，Ｑ３，Ｑ５を順番にオン状態からオフ状態にすることで、３個の光源群１１〜１３を段階的に消灯させる。なお、３個の光源群１１〜１３を段階的に消灯させるとは、点灯状態の３個の光源群１１〜１３のうち光源群１３を消灯させた後に、光源群１２を消灯させ、最後に光源群１１を消灯させることを意味する。
【００５６】
光源ユニット１００は、３個の光源群１１〜１３を備えているが、これに限らず、例えば、４個以上の光源群を備えていてもよい。この場合、光源ユニット１００は、４個以上の定電流回路を備える。また、制御回路３０は、４個以上の定電流回路を制御するように構成される。すなわち、光源ユニット１００は、少なくとも３個の光源群１１〜１３と、全波整流回路２と、少なくとも３個の定電流回路２１〜２３と、基板７とを備える。
【００５７】
以上説明した光源ユニット１００は、少なくとも３個の光源群１１〜１３と、交流電圧を全波整流する全波整流回路２と、少なくとも３個の定電流回路２１〜２３とを備えている。また、光源ユニット１００は、少なくとも３個の光源群１１〜１３、全波整流回路２および少なくとも３個の定電流回路２１〜２３が配置される基板７を備えている。少なくとも３個の光源群１１〜１３の各々は、複数個の固体発光素子８を備えている。前記少なくとも３個の光源群の各々は、電気的に直列接続されるように構成されている。少なくとも３個の定電流回路２１〜２３の各々は、対応する少なくとも３個の光源群１１〜１３に流れる電流を定電流化するように構成されている。全波整流回路２の一対の出力端間には、第１光源群（光源群１１）と第１定電流回路（定電流回路２１）との直列回路が電気的に接続されている。第１定電流回路には、第２光源群（光源群１２）と第２定電流回路（定電流回路２２）との直列回路が電気的に接続されている。第２定電流回路には、第３光源群（光源群１３）と第３定電流回路（定電流回路２３）との直列回路が電気的に接続されている。基板７には、複数個の固体発光素子８の各々を互いに電気的に接続する接続部Ｐ１〜Ｐ１４が設けられている。接続部Ｐ１〜Ｐ１４には、導電性を有しない非導電部９が設けられている。これにより、光源ユニット１００では、１４個の接続部Ｐ１〜Ｐ１４と取付部材１０１との間の浮遊容量を、１４個の接続部Ｐ１〜Ｐ１４の各々に非導電部９が設けられていない場合に比べて、低減することが可能となる。よって、光源ユニット１００では、例えば、取付部材１０１のグランドと外部電源４０との間にサージ電圧が印加されたとき、１５個の固体発光素子８に過電流が流れるのを抑制することが可能となる。その結果、光源ユニット１００では、例えば、１５個の固体発光素子８が絶縁破壊（サージ破壊）するのを抑制することが可能となる。すなわち、光源ユニット１００では、サージ電圧による故障を抑制することが可能となる。
【００５８】
接続部Ｐ１〜Ｐ１４は、上述のように、導電性を有する導電部１０を備えていることが好ましい。導電部１０は、非導電部９を囲むように、あるいは、非導電部９と隣接するように構成されていることが好ましい。これにより、光源ユニット１００では、１４個の接続部Ｐ１〜Ｐ１４の各々が導電部１０を備えていない場合に比べて、１４個の接続部Ｐ１〜Ｐ１４それぞれの表面積を大きくすることが可能となる。よって、光源ユニット１００では、１４個の接続部Ｐ１〜Ｐ１４の各々が導電部１０を備えていない場合に比べて、光源ユニット１００の放熱性を高めることが可能となる。
【００５９】
導電部１０は、上述のように、メッシュ状に構成されていることが好ましい。これにより、光源ユニット１００では、光源ユニット１００の放熱性が低下するのを抑制し、かつ、１５個の固体発光素子８が絶縁破壊（サージ破壊）するのを抑制することが可能となる。
【００６０】
また、導電部１０は、直線状に構成されていることが好ましい。これにより、光源ユニット１００では、例えば、導電部１０がメッシュ状に構成された場合に比べて、導電部１０を成形するのが容易となる。
【００６１】
以上説明した照明器具２００は、光源ユニット１００と、光源ユニット１００が取り付けられる取付部材１０１とを備えている。これにより、照明器具２００では、サージ電圧による故障を抑制することが可能な光源ユニット１００を備えた照明器具２００を提供することができる。
【符号の説明】
【００６２】
２  全波整流回路
７  基板
８  固体発光素子
９  非導電部
１０  導電部
１１  光源群（第１光源群）
１２  光源群（第２光源群）
１３  光源群（第３光源群）
２１  定電流回路（第１定電流回路）
２２  定電流回路（第２定電流回路）
２３  定電流回路（第３定電流回路）
１００  光源ユニット
１０１  取付部材
２００  照明器具
Ｐ１〜Ｐ１４  接続部
【図１】
0006528309.tif 000002
【図２】
0006528309.tif 000003
【図３】
0006528309.tif 000004
【図４】
0006528309.tif 000005
【図５】
0006528309.tif 000006